(57)【要約】【課題】使用者の状態、環境に基づいて使用者が必要とする情報を表示できる情報表示システムを提供すること。【解決手段】ユーザＵの身体の各部分の動きを計測する行動計測部２０１と、ユーザＵの身体の生体情報を計測する生体情報計測部２０２と、ユーザＵの周囲環境を計測する環境計測部２０３との少なくとも一つの手段と、この少なくとも一つの手段からの計測結果を記憶する計測結果記憶部２０４と、この少なくとも一つからの計測値の一部または全部、及び／または計測結果記憶部２０４に記憶されている計測結果記憶情報の一部または全部の数値を用いて演算する演算部２０５と、外部データベース２２０から情報を選択し、取得する情報選択・取得部２０９と、情報端末に内蔵され、情報を記憶する内部情報記憶部２０８と、選択された情報を転送するための外部通信部２１２と、を有する。【選択図】        図２
2008090373.tif 000002
【特許請求の範囲】
【請求項１】
使用者の身体に付けるか、前記使用者が携帯する計測手段によって、前記使用者の身体の各部分の動きを計測する行動計測手段と使用者の身体の生体情報を計測する生体情報計測手段と使用者の周囲環境を計測する環境計測手段の少なくとも一つの計測手段と、
前記行動計測手段と前記生体情報計測手段と前記環境計測手段との少なくとも一つからの計測結果を計測結果記憶情報として記憶する計測結果記憶手段と、
前記行動計測手段と前記生体情報計測手段と前記環境計測手段との少なくとも一つからの計測結果の一部または全部、及び／または前記計測結果記憶手段に記憶されている前記計測結果記憶情報の一部または全部の数値を用いて演算する演算手段と、
前記演算手段の結果に基づいて、外部データベースから情報を選択し、取得する情報選択・取得手段と、
情報端末に内蔵され、情報を記憶する情報記憶手段と、
前記情報選択・取得手段で選択・取得される情報を前記外部データベースから前記情報記憶手段に転送するために、前記情報端末と前記外部データベースとを接続する通信手段と、を有することを特徴とする情報転送システム。
【請求項２】
前記演算手段は、乗算機能と加算機能、および係数を記憶する係数記憶手段を備え、
前記計測結果及び／または前記計測結果記憶手段の一部または全部の値に前記係数記憶手段の係数を乗算し、その乗算結果を加算し、多次元の演算結果を出力する演算手段であることを特徴とする請求項１に記載の情報転送システム。
【請求項３】
前記演算手段の演算結果の一部または全部を用いて、演算する第二の演算回路を備え、前記第二の演算回路により前記係数記憶手段に記憶された係数を書き換えるための係数書換手段を備えたことを特徴とする請求項１または２に記載の情報転送システム。
【請求項４】
前記演算手段は、さらに前記情報記憶手段に記憶された情報を演算に用いることを特徴とする請求項１または２に記載の情報転送システム。
【請求項５】
前記情報転送システムは、さらに前記使用者の行動予定情報を入力する手段を有し、
前記行動予定情報を前記情報記憶手段に記憶することを特徴とする請求項４に記載の情報転送システム。
【発明の詳細な説明】
【技術分野】
【０００１】
本発明は、外部データベースより情報を取得し保持する情報転送システムに関する。
【背景技術】
【０００２】
従来の情報端末装置は、使用者が外部データベースより情報を取得するには、前記データベースのメニューより使用者自身により選択して情報を取得していた（例えば、特許文献１、特許文献２参照）。
【０００３】
【特許文献１】特開２００１−４３８７号公報
【特許文献２】特開２００６−１１４１２０号公報
【発明の開示】
【発明が解決しようとする課題】
【０００４】
現在、各種電子技術や情報技術の発展に伴って多くの情報に、人々は晒されている。多くの情報があるゆえに、その情報から真に必要とする情報を選択することがますます大切であるとともに、極めて難しくなってきている現実がある。
【０００５】
また、情報の種類が膨大であり、使用者がメニューより選択するのに多くの時間と労力を要する。例えばＰＣインターネットにおいてキーワードによる情報検索エンジンを用いた例では、場合によっては何百と言うサイトが検索されてしまう。このため、そのどれが真に必要な情報であるか短時間に判別するのは不可能である。
【０００６】
さらに、同じ種類の情報であっても、使用者の状況・環境・時刻等によって必要とする情報が変化する。このため、現在の情報検索では、その使用者の状況・環境・時刻等に対応した検索機能には全くなっていない。上記一例でもわかるように必要な情報は使用者の状態（状況）・環境・時間（時刻）等により変わるものである。
【０００７】
本発明は、使用者の状態・環境に基づいて使用者が必要とする情報を使用者の積極的指示または操作を必要とせずに情報を取得できる情報転送システムを提供することを目的とする。
【課題を解決するための手段】
【０００８】
上述した課題を解決し、目的を達成するために、本発明によれば、使用者の身体に付けるか、前記使用者が携帯する計測手段によって、前記使用者の身体の各部分の動きを計測する行動計測手段と使用者の身体の生体情報を計測する生体情報計測手段と使用者の周囲環境を計測する環境計測手段の少なくとも一つの計測手段と、前記行動計測手段と前記生体情報計測手段と前記環境計測手段との少なくとも一つからの計測結果を計測結果記憶情報として記憶する計測結果記憶手段と、前記行動計測手段と前記生体情報計測手段と前記環境計測手段との少なくとも一つからの計測結果の一部または全部、及び／または前記計測結果記憶手段に記憶されている前記計測結果記憶情報の一部または全部の数値を用いて演算する演算手段と、前記演算手段の結果に基づいて、外部データベースから情報を選択し、取得する情報選択・取得手段と、情報端末に内蔵され、情報を記憶する情報記憶手段と、前記情報選択・取得手段で選択・取得される情報を前記外部データベースから前記情報記憶手段に転送するため、に前記情報端末と前記外部データベースとを接続する通信手段と、を有することを特徴とする情報転送システムを提供できる。
【０００９】
また、本発明の好ましい態様によれば、前記演算手段は、乗算機能と加算機能、および係数を記憶する係数記憶手段を備え、前記計測結果及び／または前記計測結果記憶手段の一部または全部の値に前記係数記憶手段の係数を乗算し、その乗算結果を加算し、多次元の演算結果を出力する演算手段であることが望ましい。
【００１０】
また、本発明の好ましい態様によれば、前記演算手段の演算結果の一部または全部を用いて、演算する第二の演算回路を備え、前記第二の演算回路により前記係数記憶手段に記憶された係数を書き換えるための係数書換手段を備えたことが望ましい。
【００１１】
また、本発明の好ましい態様によれば、前記演算手段は、さらに前記情報記憶手段に記憶された情報を演算に用いることが望ましい。
【００１２】
また、本発明の好ましい態様によれば、前記情報転送システムは、さらに前記使用者の行動予定情報を入力する手段を有し、前記行動予定情報を前記情報記憶手段に記憶することが望ましい。
【発明の効果】
【００１３】
本発明によれば、使用者の状態・環境に基づいて使用者が必要とする情報を使用者の積極的指示または操作を必要とせずに情報を取得できる情報転送システムを提供できるという効果を奏する。
【発明を実施するための最良の形態】
【００１４】
以下に、本発明にかかる情報転送システムの実施例を図面に基づいて詳細に説明する。なお、この実施例によりこの発明が限定されるものではない。
【実施例１】
【００１５】
図１は、本発明の実施例１に係る情報転送システムの概略構成を示している。図２は、情報転送システムの機能ブロックを示している。情報転送システムは、ユーザＵが装着する各種センサ群と、情報表示部１０２と、コントロール装置の機能を有する情報端末１０１とから構成されている。
【００１６】
まず、ユーザＵが装着するデバイス、センサ群について説明する。ユーザＵは、屋内外センサ１１０と、ＧＰＳ（Ｇｌｏｂａｌ  Ｐｏｓｉｔｉｏｎｉｎｇ  Ｓｙｓｔｅｍ；全地球測位システム）１１１と、足圧力センサ１１２と、発話・咀嚼・特定環境音センサ１１３と、腕時計型運動計測センサ１１４と、心拍数センサ１１５、体温センサ１１６、抹消皮膚温度センサ１１７、発汗センサ１１８、顔色センサ１１９、瞳孔の大きさセンサ１２０、周囲湿度センサ１２１、周辺湿度センサ１２２、周辺光度センサ１２３を身体に装着している。これらのセンサを、以下、適宜「センサ１１０等」という。センサ１１０等は、行動計測手段、生体情報計測手段、環境計測手段に対応する。また、ユーザＵは、情報表示部１０２を頭部の一方の眼の近傍に装着している。
【００１７】
（屋内外センサ）
屋内外センサ１１０は、ユーザＵが屋内に存在するか、または屋外に存在するかの検出、判定を行う。屋内外センサ１１０は、照射部と受信部と判定部とを備えている。照射部は、例えば超音波を反射対象物、天井へ向かって照射し、反射して戻ってくるまでの時間で判定・計測する。また、屋内外センサ１１０は、超音波に限られず、以下の方式を用いるものでも良い。
（１）レーザーや赤外領域の光を照射してその反射を検出するアクティブ光方式（一般的な距離センサの応用）、
（２）紫外領域の光を検出するパッシブ紫外線方式（屋内外で紫外線量が異なることを利用）、
（３）焦電センサにより、上方向の空間温度（雲などからの赤外線量）を測定するパッシブ赤外線方式（天井と空とで温度が異なることを利用）、
（４）マイクにより騒音を測定するパッシブ騒音方式（屋内外で騒音スペクトルパターンが異なることを利用）。
【００１８】
（ＧＰＳ）
ユーザＵは、ＧＰＳ１１１を身体に装着している。ＧＰＳ１１１により、ユーザＵの所在位置を検出できる。また、ＧＰＳ１１１の代わりに、携帯電話の位置情報サービスを用いることできる。ＧＰＳは、位置計測手段に対応する。
【００１９】
（足圧力センサ）
足圧力センサ１１２は、ユーザＵが履いている靴にかかる足裏の圧力分布を検出する。そして、足圧力センサ１１２は、ユーザＵの立ち状態、座り状態、歩行状態を計測・判定する。  
【００２０】
（発話・咀嚼・特定環境音センサ）
発話・咀嚼・特定環境音センサ１１３は、ユーザＵが発話している状態か、すなわち会話中か、または咀嚼している状態か、即ち食事中であるかの可能性を計測する。さらにあらかじめ登録した複数の環境のどこにユーザＵがいるかの可能性を計測する。
【００２１】
発話・咀嚼・特定環境音センサ１１３は、ユーザＵの一方の耳に装着するイヤホン型センサである。イヤホン型センサの一つの筐体内には、骨伝導マイクと外界音マイクとが内蔵されている。
【００２２】
骨伝導マイクは、体内音を検出する。体内音とは、ユーザＵの発話・咀嚼時に体内から生じ、体内を伝播する振動である。体内音の具体例は、声帯振動や歯が食物を噛み切る音、食物が咽喉を通過する音、あご関節が動く音等である。
【００２３】
外界音マイクは、ユーザのいる環境の外界音を検出する。外界音には、環境の雑音に加え、ユーザＵの発声に応じて、体外へ伝播する振動、即ち音声が含まれる。
骨伝導マイク、および、外界音マイクの捕らえる音の第１の単位時間Ｔ１（例えば１００ｍｓ）におけるパワーをそれぞれＰ１、Ｐ２とするとき、Ｐ１が第１の閾値Ｃ１よりも大きく、かつ、Ｐ２が第２の閾値Ｃ２よりも小さい場合は、咀嚼に伴う音を検出したものとし、咀嚼検出数Ｎ１を加算する。そして、第２の単位時間Ｔ２（例えば２ｓ）における咀嚼検出率（Ｎ１×Ｔ１／Ｔ２）を計測値とすることで、この計測値は第２の単位時間Ｔ２における咀嚼可能性を示すことが出来る。
同様に、Ｐ１が第３の閾値Ｃ３よりも大きく、かつ、Ｐ２が第４の閾値Ｃ４よりも大きい場合は、発話に伴う音を検出したものとし、発話検出数Ｎ２を加算する。そして、第２の単位時間Ｔ２（例えば２ｓ）における咀嚼検出率（Ｎ２×Ｔ１／Ｔ２）を計測値とすることで、この計測値は第２の単位時間Ｔ２における発話可能性を示すことが出来る。
さらに、外界音マイクの捕らえる音のレベルと周波数を解析することで、ユーザＵを取り巻く環境をある程度推定出来る。例えば電車の中、バスの中、飛行機の中の外界音マイクで捕らえた騒音の、レベルの揺らぎパターンと周波数分布をあらかじめ計測しておき、実際にユーザＵが身につけた外界音マイクの捕らえた音を、あらかじめ計測した前記の揺らぎや周波数分布と比較をすることで、ユーザがどの乗り物の中にいるかを推定することができるので、例えば飛行機の中の騒音との相関係数を計測値とすれば、飛行機の中にいる可能性を示すことができる。
【００２４】
（腕装着型運動計測センサ）
腕装着型運動計測センサ１１４（以下、適宜「運動計測センサ」という。）は、ユーザＵの腕の動きを検出する。運動計測センサ１１４は、加速度センサや角速度センサを備えている。そして、上述した足圧力センサ１１２の検出結果と合わせてユーザＵの日常動作、歩行状態をさらに正確に同定することができる。なお、腕に装着する方法は、例えば腕時計タイプ、または腕に貼付するタイプ等が挙げられる。
【００２５】
（心拍数センサ）
心拍数計測センサ１１５は、指または耳に装着し、拍動に伴う血流の変化を赤外光の透過率や反射率の変化で計測する。
【００２６】
（体温センサ）
体温センサ１１６は、例えば、サーミスタ、放射温度計、熱電対による温度センサを用いて体温を計測する。
【００２７】
（抹消皮膚温度センサ）
抹消皮膚温度センサ１１７は、例えば、サーミスタ、放射温度計、熱電対による温度センサを用いて抹消皮膚温度を計測する。
【００２８】
（発汗センサ）
発汗センサ１１８は、例えば、皮膚の表面抵抗の変化により皮膚の発汗を計測する。
【００２９】
（顔色センサ）
顔色センサ１１９は、例えば、顔面近くに光センサを配置し、複数の光学的バンドパスフィルタ通過後の光度を比較して計測する。
【００３０】
（瞳孔の大きさセンサ）
瞳孔の大きさセンサ１２０は、例えば、瞳孔近くにカメラを設置し、カメラからの信号を解析し瞳孔の大きさを計測する。
【００３１】
（周辺温度センサ）
周辺温度センサ１２１は、例えば、サーミスタ、放射温度計、熱電対による温度センサを用いて外界温度を計測する。
【００３２】
（周辺湿度センサ）
周辺湿度センサ１２２は、例えば、湿度によって電気抵抗が変化するセンサを用いた湿度センサによって計測する。
【００３３】
（周辺光度センサ）
周辺光度センサ１２３は、例えば、光電素子を用いたセンサによって周囲の光度を計測する。
【００３４】
（情報転送）
外部データベース２２０と情報端末１０１間の情報転送は、無線、有線、インターネット等のインフラが利用できる。また、本発明の情報端末１０１の電源を充電するために充電器に接続する時に同時に外部データベース２２０への接続ができるようにもできる。この場合専用の通信線の接続でもまた電灯線ＬＡＮ等を使用することもできる。  
【００３５】
（情報端末装置）
情報端末１０１について説明する。本情報転送システムにおける情報端末１０１は、４つの機能を有する。１番目の機能は、上述した各種センサ群からの情報を集約することである。２番目の機能は、各種センサ群の計測結果および外部より取得、あるいは使用者によって入力され、情報記憶手段が記憶している情報を基に演算することである。３番目の機能は、演算結果に基づき外部データベースから情報を選択し取り込む機能である。４番目の機能は、外部と交信し情報を取得し、情報端末１０１の内部情報記憶部２０８に記憶する機能である。内部情報記憶部２０８は、情報記憶手段に対応する。
【００３６】
ここで、情報端末１０１には１番目〜４番目の機能の全てを内蔵することもできるし、例えば、上記の１番目と４番目の機能のみを有し、２番目の各種センサ群の計測結果を基に演算する機能、および３番目の演算結果に基づき情報を選択取得する機能は、外部のサーバーに持たせることもできる。この方法では、各種センサの計測結果は、情報端末１０１（コントロール装置）から外部サーバーへ取得日時と合わせて送信される。また、外部サーバーからの情報は外部サーバーが内蔵する情報選択手段によって選択され、情報端末１０１へ送信される。
【００３７】
本実施例では、情報選択・取得部２０９からの情報要求、あるいは各種センサの計測結果は情報端末１０１（コントロール装置）から外部データベース２２０へ外部通信部２１２を介して送信される。このとき、複数の情報端末を使用する場合、情報端末固有のＩＤも付加して送信される。外部通信部２１２は、通信手段に対応する。
【００３８】
上述のように、本情報転送システムでは、上述の各機能を情報端末１０１、または外部サーバー２２０のいずれかに搭載することができる。
【００３９】
（センサ情報集約機能）
本発明で使用するセンサの出力は、一般的にはアナログ出力である。このままでは前記情報端末１０１（コントロール装置）で処理しにくい。このため、アナログ・ディジタル変換機能をセンサに付加する。各センサ部には、さらに、情報端末１０１（コントロール装置）と無線により交信する送受信機能を付加する。各センサと情報端末１０１（コントロール装置）間の無線通信は、時分割、周波数分割、または、スペクトロ拡散方式のいずれかにより、多重通信を行う。
【００４０】
図２において、行動計測部２０１は、ＧＰＳ１１１と、足圧力センサ１１２と、発話・咀嚼センサ１１３と、腕時計型運動計測センサ１１４と、発話・咀嚼センサ１１３を含んでいる。また、行動計測部２０１は、少なくともユーザＵの、腕の動きと、足の動きと、頭の動き、音声と、体内音とのいずれか一つを含むことが望ましい。
【００４１】
また、行動計測部２０１には、予め格納されているユーザＵの予定行動データを計測データとして取り込むことが望ましい。また、本発明の好ましい態様によれば、使用者の位置及び方向を計測する位置計測手段を含むことが望ましい。位置計測手段は、ＧＰＳ機能を有することが望ましい。
【００４２】
また、行動計測部２０１は、ユーザの周囲環境を計測する環境計測部２０３による計測結果の過去データを演算時のデータとして取り込むことが望ましい。
【００４３】
生体情報計測部２０２は、心拍数センサ１１５、体温センサ１１６、抹消皮膚温度センサ１１７、発汗センサ１１８、顔色センサ１１９、瞳孔の大きさセンサ１２０を含んでいる。
【００４４】
環境計測部２０３は、周囲温度センサ１２１、周辺湿度センサ１２２、周辺光度センサ１２３を含んでいる。このように、本発明の好ましい態様によれば、ユーザＵの周囲環境を計測する環境計測部２０３には、温度、湿度、光度、外部音、室内外センスのいずれか一つを含むことが望ましい。
【００４５】
各センサ１１０等は、さらに、情報端末１０１と無線により通信（交信）する通信部２１１を有している。通信部２１１は、送受信機能を備えている。各センサ１１０等と情報端末１０１間の無線通信は、時分割、周波数分割、または、スペクトロ拡散方式のいずれかにより、多重通信を行うことができる。
【００４６】
また、少なくとも各計測手段の計測値の一部または全部とかつ、または、計測結果記憶情報の一部または全部の数値を用いて演算する演算部２０５には、少なくとも数値乗算機能および数値加算機能を含むことが好ましい。
【００４７】
また、少なくとも各計測部の計測値の一部または全部とかつ、または、計測結果記憶情報の一部または全部の数値を用いて演算する演算部２０５には、さらに、係数を記憶する係数記憶部２０６を備え、計測結果およびまたは計測結果記憶部２０４の一部または全部の値に係数記憶部２０６の係数を乗算し、その乗算結果を加算し、多次元の演算結果を出力する演算部２０５であることが好ましい。
【００４８】
また、本発明によれば、上記係数を記憶する係数記憶部２０６に記憶された係数は、演算結果の一部または全部を用いて演算する第二の演算部２０７の演算結果に基づき係数書換部２０７によって書き換えられることが好ましい。
【００４９】
また、本発明によれば、ダウンロードする情報を選択するための情報選択・取得部２０９を備え、情報選択・取得部２０９に演算部２０５の結果が入力されることが好ましい。
【００５０】
また、ダウンロードした情報に基づいて、さらにダウンロードする情報を選択できるように、ダウンロードした情報がさらに、情報選択・取得部２０９へ入力できることが好ましい。
【００５１】
次に、本実施例における処理の手順について説明する。図３は、処理の流れを示すフローチャートである。
【００５２】
ステップＳ３０１において、演算部２０５は、各センサ１０１等からの計測結果を取り込む。ステップＳ３０２において、取り込まれた計測結果は、アナログ出力からディジタル出力へ変換される。なお、上述したように、各センサ１０１等がアナログ・ディジタル変換機能を有していても良い。
【００５３】
ステップＳ３０４において、演算部２０５は後述する手順の演算を行う。演算結果は演算結果記憶部２１３に、計測結果は計測結果記憶部２０４にそれぞれ記憶される。また、ステップＳ３０３、Ｓ３０５、Ｓ３０６においては、現在及び／または過去の演算結果や計測結果を用いて、使用者に対して個性化した演算を行うこともできる。このような個性化するための演算の詳細については後述する。ステップＳ３０７において、情報選択・取得部２０９は、演算結果に基づいて、外部情報データベース２２０から後述する手順に従って情報を取り出す。ステップＳ３０８において、取り出された情報は、内部情報記憶部２０８に記憶される。
【００５４】
（演算機能）
次に、演算部２０５が行う演算処理について説明する。演算部２０５は、行動計測部２０１と生体情報計測部２０２と環境計測部２０３との少なくとも一つからの計測値の一部または全部、及び／または計測結果記憶部２０４に記憶されている計測結果記憶情報の一部または全部の数値、及び／または、情報端末の情報記憶手段に記憶された情報を用いて演算する。これは、図３のステップＳ３０４に対応する。
【００５５】
具体的には、演算部２０５は、ディジタル化された各センサ１０１等からの信号を乗算する機能と加算する機能とを備えている。例えば、次式（１）に示すように、各センサ１０１等からの計測結果の数値Ｘｊと、２次元行列（マトリックス）で表される係数Ａｉｊとの積和計算を行う。そして、積和計算の結果を多次元座標としてｎ次元のベクトルＹｉとして演算する。なお、ｉは、ｎ次元空間のｉ座標である。また、数値Ｘｊにおいて、ｊは各センサ１０１等に割り当てられている番号である。
【００５６】
【数１】
2008090373.tif 000003
【００５７】
（計測結果）
行動計測部２０１と生体情報計測部２０２と環境計測部２０３との少なくとも一つからの計測値の一部または全部、及び／または計測結果記憶部２０４に記憶されている計測結果記憶情報の一部または全部の数値を用いて演算するが、センサが全て接続されていない場合や計測値の一部に異常値が出現する場合、または、計測値の一部の数値を用いて演算する場合には、Ｘｉのあらかじめ定められたデフォルト値を用いて演算がなされるようにしておくことが望ましい。計測値の異常は、例えば、ある範囲を指定しておき、その数値がその範囲を外れた時には異常と判定する、または、時系列の計測値の時間的変化がある閾値を超えたときに異常と判定する。または、さらに別の方法としては、センサの種類または数に合わせて、それぞれ演算するための係数マトリックスを複数用意し、センサの種類または数によって選択された係数マトリックスによって演算してもよい。
【００５８】
（演算結果のＹ値）
演算されたＹ座標のＹ値は、例えば疲れとか忙しさと言ったような概念的意味を持たない数値であっても良いが、Ａ係数の設定によっては、概念的な意味をもたせることもできる。例えば、心拍数、発汗、体温のＸ値に対して乗算されるそれぞれのＡ係数を、その他の計測値に対するＡ係数より大きな数値に設定する。これによって乗算・加算されたＹ数値は、心拍数、発汗、体温の計測値が大きくなれば、大きな値になり、そのＹ数値はいわゆる「興奮度」を表す。そして、そのＹ軸は興奮と位置付けできる。また、発話・咀嚼・特定環境音センサの発話と咀嚼の計測値と足圧力センサの計測値の、その計測値に対するＡ係数を大きくしておいた場合、発話・咀嚼の計測値が高く、また、足圧力センサの動きもないときには、演算された対応するＹ値は、着座して会話をしているらしいことを表している。また、発話と咀嚼の計測値が低く、また、足圧力センサの計測値が低い時には、演算された対応するＹ値は、低くなり、静かに思考しているか、睡眠状態にあるかなど推定できる。このように、さらにセンサの種類を増やすことにより、それぞれのＹ値が、言い換えればＹ軸に、使用者の行動・感情等をその内容に概ね対応させることも可能である。
【００５９】
（情報選択・取得手段）
次に、外部情報データベース２２０からの情報の取り出しについて説明する。演算部２０５の出力は、上述のように多次元の座標として表されている。情報選択・取得部２０９は、出力された座標と、外部情報データベース２２０に記憶されている情報の属性の座標とを比較する。
【００６０】
図４に示すように、外部情報データベース２２０において情報に付加された座標の所定幅の範囲内に、出力された演算結果の座標が存在しているとき、その情報が取得されるべき情報として判定され取得される。
【００６１】
図４は、ベクトル空間において、座標の所定幅内に存在する情報を示している。例えば、Ｙ３軸についてｃ〜ｄ、Ｙ５軸についてａ〜ｂ、Ｙ８軸についてｅ〜ｆの範囲内に、出力された演算結果が存在するとき、情報Ｘが選択される。表示部２１０は、選択された情報Ｘを表示する。
【００６２】
座標の判定及び情報の取り出しは、あらかじめ設定された、時間間隔で行われるか、演算部２０５の出力値に所定以上の変化があったときに行われる。なお、図４では、図示の都合上三軸のみを示してある。情報Ｘは、図４から容易にわかるように各軸のａ〜ｂ、ｃ〜ｄ、ｅ〜ｆの範囲にその情報が位置する。
【００６３】
また、ベクトル空間の所定の範囲内に、出力された演算結果が存在しないとき、演算結果に最も近い情報が選択される。ここで、演算結果と近いか否かの判定は、演算結果の座標と、その周囲に情報が存在する領域の中心座標との多次元距離により判定される。
【００６４】
また、本実施例では、さらに、第二の演算部２０７を備えることもできる。第二の演算部２０７は、既に得られている係数Ａｎｍに基づいて、新たな係数Ａｎｍを演算する。
【００６５】
また、第二の演算部２０７は、係数記憶部２０６に記憶された係数を書き換えるための係数書換部としての機能も備えている。式（２）の手順を繰り返すことにより、係数Ａｎｍは順次書き換えられてゆく。これは、図３のステップＳ３０５、Ｓ３０６に対応する。
【００６６】
【数２】
2008090373.tif 000004
【００６７】
式（２）において、Ａｎｍは今までの演算係数であり、左辺のＡｎｍは新しい演算係数を与える。なお、本演算は一例であり、本発明がこの方式により限定されるものではない。
【００６８】
さらに、例えば、Ｃｎｍは、計測値Ｘｉの変化量ΔＸｉの関数として、次式（３）として与えることができる。
【００６９】
Ｃｎｍ＝ｆ（ΔＸ１、ΔＸ２、・・・・、ΔＸｉ、・・・ΔＸｍ）    ・・・（３）
【００７０】
ここで、計測値Ｘｉの変化量ΔＸｉは、計測結果と計測結果記憶情報との間の変化量で定義される。
【００７１】
換言すると、計測値Ｘｉの変化量ΔＸｉは、ユーザＵに対して情報表示システムにより情報を与える前の状態の計測結果と、情報を与えた後の状態の計測結果との差分を表している。この差分は、本情報のユーザへの影響度に対応している。この影響度に基づいて、Ｃｎｍは変化し、かつ定められる。
【００７２】
また、これに限られず、第二の演算部２０７は、次式（４）のように、演算結果と演算結果記憶情報との間の変化量を用いて演算しても良い。ここで、演算結果記憶部２１３は、演算部２０５による演算結果を演算結果記憶情報として記憶する。
【００７３】
Ｃｎｍ＝ｆ（ΔＹ１、ΔＹ２、・・・・、ΔＹｉ、・・・ΔＹｍ）    ・・・（４）
【００７４】
換言すると、演算結果Ｙｉの変化量ΔＹｉは、ユーザに対して情報表示システムにより情報を与える前の状態の演算結果と、情報を与えた後の状態の演算結果との差分を表している。この差分は、本情報のユーザへの影響度に対応している。この影響度に基づいて、Ｃｎｍは変化し、かつ定められる。
【００７５】
上述の演算において、現在の演算結果と、過去の状況において記録されている演算結果との両方を用いることが望ましい。これにより、使用者の状況の変化と方向とが、より正確に取得できる。換言すると、各使用者に応じて個性化した情報を得ることができる。
【００７６】
また、さらには、ΔＸｉ  ΔＹｉ  の両方を用いて演算しても良い。
Ｃｎｍ＝ｆ（ΔＸ１、ΔＸ２、・・・・、ΔＸｉ、・・・ΔＸｍ、ΔＹ１、ΔＹ２、・・、ΔＹｉ、・・・ΔＹｍ）  …（５）
【００７７】
（内部情報記憶部）
内部情報記憶部２０８、いわゆる内部データベースにおいて、外部データベース２２０から転送・取得された情報は、ユーザＵの指示により同じアドレスにある以前の情報と置き換えをすることもできる。さらに別のアドレスに記憶されることもできる。また、情報に属性として付属の日時を検出し、常に新しい情報で置き換えることも可能である。なお、内部情報記憶部２０８は、情報記憶手段に対応する。
【００７８】
本実施例をさらに詳しく説明する。例えば、ユーザＵが外出するという行動予定が本システムに記憶されている場合を考える。本システムは、外出する前に、この予定を数値化した行動計測値を用いた演算を行い、その演算結果に基づき外部データベース２２０から必要な情報を転送、取得して内部情報記憶部２０８（情報記憶手段）に記憶する。
【００７９】
この場合、例えば、天気予報や道路情報、鉄道運行情報といった情報、出かける先の近隣情報、レストラン情報等が自動的に取得、記憶され、必要に応じてユーザＵに対して情報を表示することができる。
【００８０】
さらに、このようにして取得され、記憶された情報（１次情報）は、さらに演算部２０５に入力され、その演算結果により次の情報（２次情報）が取得されるようにすることもできる。例えば、まず天気情報を取得し、その天気情報が雨の場合、さらに演算がなされ雨に関しての情報、例えば、駅から濡れずに行けるレストランやあまり雨を気にしない経路情報等が、適宜選択され転送・取得される。
【００８１】
なお、取得する情報を選択するために外部データベース２２０から取得する１次情報（先述の例では天気情報）は、必ずしも内部情報記憶部２０８に記憶する必要はない。例えば、外部データベース２２０側に用意した第２の演算手段に１次情報を入力し、その演算結果に基づいて、同じく外部データベース２２０側に用意した第２の情報選択・取得手段が２次情報を選択・取得し、通信手段を介して情報端末１０１内の内部情報記憶部２０８に記憶するように構成しても良い。
【００８２】
さらに別の実施例について説明する。情報端末１０１で音楽を聴く時には、ユーザＵの音楽を聞いているときのユーザＵの身体の各部分の動きを計測する行動計測部２０１と、ユーザＵの身体の生体情報を計測する生体情報計測部２０２により、その聴いている曲に対するそれぞれの計測値が記録される。
【００８３】
そして、その計測値の演算結果に基いた情報が、外部データベース２２０から選択取得される。この例では、該情報は音楽の曲であり、その計測結果による演算結果は、ユーザＵの興味や興奮度に基づき選択されるように、演算部２０５の係数が定められている。したがって、本発明によれば、例えば、ユーザＵの興味や好みに合うであろうと思われる新曲等がダウンロードされることになる。
【００８４】
このような音楽配信の他の例では、例えば、情報端末１０１をクレードルに載置して充電している間に、上述の手順に従って所定の音楽を外部データベース２２０からダウンロードできる。ダウンロードされた音楽は、内部情報記憶部２０９に格納される。ユーザＵは、格納・保存されている音楽の中から所望の音楽を選択する。また、自動的にユーザＵの状況に最適な音楽が表示（再生）されるようにしても良い。
【００８５】
本発明に係る情報転送システムでは、使用者の身体の各部分の動きを計測する行動計測手段と、使用者の身体の生体情報を計測する生体情報計測手段と、使用者の周囲環境を計測する環境計測手段を備え、使用者の身体的・精神的状態、使用者を取り巻く環境状態を計測し、少なくとも前記計測手段の計測値の一部または全部とかつ、または、過去情報である前記計測結果記憶情報の一部または全部の数値を用いて、前記演算手段を用いて演算し、その演算結果を、取得情報選択機能へ入力し、外部データベースより通信手段により使用者が真に必要とする情報を自動で取得できる情報転送システムを実現できる。
【産業上の利用可能性】
【００８６】
以上のように、本発明に係る情報端末装置は、使用者の身体の各部分の動きを計測する行動計測手段と、使用者の身体の生体情報を計測する生体情報計測手段と、使用者の周囲環境を計測する環境計測手段とにより、使用者が真に必要とする情報を取得する情報転送システムに有用である。
【図面の簡単な説明】
【００８７】
【図１】実施例に係る情報転送システムの概略構成を示す図である。
【図２】実施例に係る情報転送システムの機能ブロックを示す図である。
【図３】実施例における処理手順を示すフローチャートである。
【図４】ベクトル空間における情報の座標を示す図である。
【符号の説明】
【００８８】
１０１  情報端末
１０２  情報表示部
１１０  屋内外センサ
１１１  ＧＰＳ
１１２  足圧力センサ
１１３  発話・咀嚼センサ
１１４  腕時計型運動計測センサ
１１５  心拍数センサ
１１６  体温センサ
１１７  抹消皮膚温度センサ
１１８  発汗センサ
１１９  顔色センサ
１２０  瞳孔の大きさセンサ
１２１  周囲温度センサ
１２２  周辺湿度センサ
１２３  周辺光度センサ
２００  情報表示システム
２０１  行動計測部
２０２  生体情報計測部
２０３  環境計測部
２０４  計測結果記憶部
２０５  演算部
２０６  係数記憶部
２０７  第二の演算部
２０８  内部情報記憶部
２０９  情報選択・取得部
２１０  表示部
２１１  通信部
２１２  外部通信部
２１３  演算結果記憶部
２２０  外部情報データベース
Ｕ      ユーザ
【図１】
2008090373.tif 000005
【図２】
2008090373.tif 000006
【図３】
2008090373.tif 000007
【図４】
2008090373.tif 000008